(57)【要約】【課題】  磁性部材を用いることなくフレキシブル配線板で発生する電磁波に起因する放射線画像へ影響を抑制する。【解決手段】  画素アレイと複数の信号線６とを含むセンサパネル１と、センサパネル１を支持する支持基台２と、読出回路１０を制御するための読出制御用の回路基板９と、読出制御用の回路基板９を介して読出回路１０に電圧を供給する電源回路基板１２と、電源回路基板１２からの電圧を読出制御用の回路基板９に伝送するためのフレキシブル配線板１４と、を有し、読出制御用の回路基板９、電源回路基板１２、及び、フレキシブル配線板１４が、支持基台２を挟んでセンサパネル１と反対側に配置され、フレキシブル配線板１４の少なくとも一部が、複数の信号線６に対して、所望の角度以上を有するように非平行に対向して配置される。【選択図】  図１
2019007748.tif 000002
【特許請求の範囲】
【請求項１】
放射線を電気信号に変換するための画素が行列状に複数配列された画素アレイと、列方向の複数の前記画素に電気的に接続された複数の信号線と、を含むセンサパネルと、
前記センサパネルを支持する支持基台と、
前記画素アレイの行方向の複数の前記画素毎に前記複数の信号線を介して前記電気信号を読み出すための読出回路を制御するための読出制御用の回路基板と、
前記読出制御用の回路基板を介して前記読出回路に電圧を供給する電源回路基板と、
前記電源回路基板からの電圧を前記読出制御用の回路基板に伝送するためのフレキシブル配線板と、
を有し、前記読出制御用の回路基板、前記電源回路基板、及び、前記フレキシブル配線板が、前記支持基台を挟んで前記センサパネルと反対側に配置された放射線撮像装置であって、
前記読出制御用の回路基板の一辺と長さＬの間隔を空けて向き合って配置された前記電源回路基板の一辺と、前記読出制御用の回路基板の一辺と、を超えて設けられる、幅Ｗの前記フレキシブル配線板が、ピッチ間隔ａで配置された前記複数の信号線の少なくとも一部と幅（２Ｗ＋ａ）以上の領域で対向するように、前記複数の信号線に対しての角度
【数１】
2019007748.tif 000005
以上の角度で配置されている、ことを特徴とする放射線撮像装置。
【請求項２】
放射線を電気信号に変換するための画素が行列状に複数配列された画素アレイと、列方向の複数の前記画素に電気的に接続された複数の信号線と、を含むセンサパネルと、
前記センサパネルを支持する支持基台と、
前記画素アレイの行方向の複数の前記画素毎に前記複数の信号線を介して前記電気信号を読み出すための読出回路を制御するための読出制御用の回路基板と、
前記読出制御用の回路基板を介して前記読出回路に電圧を供給する電源回路基板と、
前記電源回路基板からの電圧を前記読出制御用の回路基板に伝送するためのフレキシブル配線板と、
を有し、前記読出制御用の回路基板、前記電源回路基板、及び、前記フレキシブル配線板が、前記支持基台を挟んで前記センサパネルと反対側に配置された放射線撮像装置であって、
前記読出制御用の回路基板の一辺と長さＬの間隔を空けて向き合って配置された前記電源回路基板の一辺と、前記読出制御用の回路基板の一辺と、を超えて設けられる、幅Ｗの前記フレキシブル配線板が、ピッチ間隔ａで配置された前記複数の信号線の少なくとも一部と幅（２Ｗ＋ａ）以上の領域で対向するように、少なくとも一度折り曲げて配置されている、ことを特徴とする放射線撮像装置。
【請求項３】
前記電源回路基板は、スイッチング電源を含む集積回路が搭載されたプリント回路基板であり、
前記フレキシブル配線板は、前記スイッチング電源で生成された電圧を供給する複数の電源線と、グランドのリターン電流が流れる複数のグランド線と、を含むフレキシブルフラットケーブルである、ことを特徴とする請求項１又は２に記載の放射線撮像装置。
【請求項４】
前記フレキシブルフラットケーブルは、前記複数の電源線のうちの２以上の電源線と、前記複数のグランド配線のうちの２以上のグランド配線と、が交互に並ぶように、前記複数の電源線と前記複数のグランド線が配置されていることを特徴とする請求項３に記載の放射線撮像装置。
【請求項５】
前記フレキシブルフラットケーブルは、前記複数の電源線のうちの１つの電源線と、前記複数のグランド配線のうちの１つのグランド配線と、が交互に並ぶように、前記複数の電源線と前記複数のグランド線が配置されていることを特徴とする請求項３に記載の放射線撮像装置。
【請求項６】
前記画素は、前記放射線を前記電気信号に変換する変換素子と、前記電気信号を前記複数の信号線のうちの１つの信号線に転送するためのスイッチ素子と、を含み、
前記センサパネルは、行方向の複数の前記画素の前記スイッチ素子毎に電気的に接続された複数の駆動線を更に含むことを特徴とする請求項１乃至５のいずれか１項に記載の放射線撮像装置。
【請求項７】
前記複数の駆動線に電気的に接続された駆動回路と、
前記駆動回路を制御するための駆動制御用の回路基板と、
前記読出制御用の回路基板と前記駆動制御用の回路基板とに制御信号を供給するための制御回路と、前記電気信号に基づいて前記読出回路から出力された信号を処理する処理回路と、を含む処理回路基板と、
を更に含むことを特徴とする請求項６に記載の放射線撮像装置。
【請求項８】
前記読出制御用の回路基板と前記処理回路基板との間が、前記フレキシブル配線板とは別のフレキシブル配線板で電気的に接続されており、前記読出回路から出力された信号は前記別のフレキシブル配線板を介して前記処理回路基板に伝送されることを特徴とする請求項７に記載の放射線撮像装置。
【請求項９】
前記読出制御用の回路基板及び前記駆動制御用の回路基板は夫々、プリント回路基板を用いて構成されていることを特徴とする請求項８に記載の放射線撮像装置。
【請求項１０】
前記読出回路は、フレキシブル配線板に搭載された集積回路を含み、
前記センサパネルの前記列方向と交差する辺に複数の前記読出回路が電気的に接続されていることを特徴とする請求項９に記載の放射線撮像装置。
【請求項１１】
前記駆動回路は、フレキシブル配線板に搭載された集積回路を含み、
前記センサパネルの前記行方向と交差する辺に複数の前記駆動回路が電気的に接続されていることを特徴とする請求項９に記載の放射線撮像装置。
【請求項１２】
請求項１乃至１１のいずれか１項に記載の放射線撮像装置と、
前記放射線を発生する放射線源と、
を含むことを特徴とする撮像システム。
【発明の詳細な説明】
【技術分野】
【０００１】
本発明は、放射線撮像装置及び放射線撮像システムに関するものである。より具体的には、医療診断における一般撮影などの静止画撮影や透視撮影などの動画撮影に好適に用いられる、放射線撮像装置及び放射線撮像システムに関する。
【背景技術】
【０００２】
近年、Ｘ線による医療画像診断や非破壊検査に用いる撮像装置として、半導体材料によって形成された平面検出器（Ｆｌａｔ  Ｐａｎｅｌ  Ｄｅｔｅｃｔｏｒ、以下ＦＰＤと略す）を用いた放射線撮像装置が用いられている。このような放射線撮像装置は、例えば医療画像診断においては、一般撮影のような静止画撮影や、透視撮影のような動画撮影のデジタル撮像装置として用いられている。
【０００３】
このような放射線撮像装置として、特許文献１に記載されている放射線撮像装置が知られている。特許文献１の放射線撮像装置は、センサパネルと、支持基台と、読出回路と、読出制御用の回路基板と、電源回路基板と、フレキシブル配線板とを含む。センサパネルは、放射線を電気信号に変換するための画素が行列状に複数配列された画素アレイと、列方向の複数の画素に電気的に接続された複数の信号線と、を含む。支持基台は、センサパネルを支持し、読出回路は、画素アレイの行方向の複数の画素毎に複数の信号線を介して電気信号を読み出す。読出回路を制御するための読出制御用の回路基板を介して読出回路に電圧を供給する電源回路基板からの電圧は、フレキシブル配線板によって読出制御用の回路基板に伝送される。読出制御用の回路基板と電源回路基板とフレキシブル配線板は、支持基台を挟んでセンサパネルと反対側に配置されている。特許文献１では、フレキシブル配線板で発生する電磁波の影響により、読出回路から得られる放射線画像へノイズが混入することを抑制するために、フレキシブル配線板を透磁率の高い磁性部材で覆うことが開示されている。
【先行技術文献】
【特許文献】
【０００４】
【特許文献１】特開２００３−０３５７７８号公報
【発明の概要】
【発明が解決しようとする課題】
【０００５】
しかしながら、特許文献１の構成では、磁性部材が外来性の電磁波を引き寄せてしまい、読出回路から得られる放射線画像へ外来性の電磁波起因のノイズが混入する恐れがある。また、近年の放射線撮像装置では、可搬性向上のために軽量化及び薄型化が求められており、支持基台の軽量薄型化に伴う電磁波遮蔽機能の低下や、磁性部材を用いないことが要求される。そのため、磁性部材を用いないでフレキシブル配線板で発生する電磁波の影響を低減する技術が求められる。
【課題を解決するための手段】
【０００６】
そこで本発明は、上記課題を鑑み、磁性部材を用いることなくフレキシブル配線板で発生する電磁波に起因する放射線画像へ影響を抑制することが可能な放射線撮像装置を提供することを目的とするものである。本発明の放射線撮像装置は、放射線を電気信号に変換するための画素が行列状に複数配列された画素アレイと、列方向の複数の前記画素に電気的に接続された複数の信号線と、を含むセンサパネルと、前記センサパネルを支持する支持基台と、前記画素アレイの行方向の複数の前記画素毎に前記複数の信号線を介して前記電気信号を読み出すための読出回路を制御するための読出制御用の回路基板と、前記読出制御用の回路基板を介して前記読出回路に電圧を供給する電源回路基板と、前記電源回路基板からの電圧を前記読出制御用の回路基板に伝送するためのフレキシブル配線板と、を有し、前記読出制御用の回路基板、前記電源回路基板、及び、前記フレキシブル配線板が、前記支持基台を挟んで前記センサパネルと反対側に配置された放射線撮像装置に係る。本発明の放射線撮像装置は、前記読出制御用の回路基板の一辺と長さＬの間隔を空けて向き合って配置された前記電源回路基板の一辺と、前記読出制御用の回路基板の一辺と、を超えて設けられる、幅Ｗの前記フレキシブル配線板が、ピッチ間隔ａで配置された前記複数の信号線の少なくとも一部と幅（２Ｗ＋ａ）以上の領域で対向するように、前記複数の信号線に対しての角度
【０００７】
【数１】
2019007748.tif 000003
以上の角度で配置されている。また、本発明の放射線撮像装置は、前記読出制御用の回路基板の一辺と長さＬの間隔を空けて向き合って配置された前記電源回路基板の一辺と、前記読出制御用の回路基板の一辺と、を超えて設けられる、幅Ｗの前記フレキシブル配線板が、ピッチ間隔ａで配置された前記複数の信号線の少なくとも一部と幅（２Ｗ＋ａ）以上の領域で対向するように、少なくとも一度折り曲げて配置されている。
【発明の効果】
【０００８】
本発明により、磁性部材を用いることなくフレキシブル配線板で発生する電磁波に起因する放射線画像へ影響を抑制することが可能な放射線撮像装置を提供することが可能となる。
【図面の簡単な説明】
【０００９】
【図１】第１の実施形態の放射線撮像装置の概略斜視図及び回路基板側から見た平面模式図
【図２】比較例の放射線撮像装置の概略斜視図及び回路基板側から見た平面模式図
【図３】第２実施形態の放射線撮像装置の概略斜視図及び回路基板側から見た平面模式図
【図４】第２実施形態の変形例の放射線撮像装置の概略斜視図及び回路基板側から見た平面模式図
【図５】フレキシブル配線板の模式的な断面斜視図
【図６】放射線撮像装置を用いた放射線撮像システムを説明するための模式図
【発明を実施するための形態】
【００１０】
以下に、図面を参照して本発明の実施形態を詳細に説明する。なお、本発明において放射線は、放射性崩壊によって放出される粒子（光子を含む）の作るビームであるα線、β線、γ線などの他に、同程度以上のエネルギーを有するビーム、例えばＸ線や粒子線、宇宙線なども、含まれるものとする。
【００１１】
（第１実施形態）
図１（ａ）及び図１（ｂ）を用いて、第１実施形態に係る放射線撮像装置１００を説明する。図１（ａ）は、第１実施形態の放射線撮像装置１００の概略斜視図であり、図１（ｂ）は、該放射線撮像装置１００を回路基板側から見た平面模式図である。
【００１２】
センサパネル１は、ガラス基板等の絶縁性表面を有する基板上に放射線を電気信号に変換するための画素が行列状に複数配列された画素アレイと、列方向の複数の画素に電気的に接続された複数の信号線６と、を含む。複数の信号線６は、画素アレイにおけるそれぞれの列ごとに均一な間隔ａで配列され得る。各画素は、放射線を電気信号に変換する変換素子３と、変換素子３で変換された電気信号を信号線６に転送するためのスイッチ素子４と、を含む。本実施形態では、変換素子３は、放射線を光に変換するシンチレータ（不図示）と当該光を電気信号に変換する光電変換素子と、を含む。スイッチ素子４は、ＴＦＴが好適に用いられ得る。センサパネル１は、更に、行方向の複数の画素のスイッチ素子毎に夫々が一対一で電気的に接続された複数の駆動線５を更に含む。駆動線５は、スイッチ素子４を駆動するための駆動信号をスイッチ素子４に供給するための配線である。また、センサパネル１は、各変換素子３に光電変換可能なバイアスを印加するための電圧を供給するためのバイアス線（不図示）を更に含む。
【００１３】
支持基台２は、センサパネルを支持する部材である。支持基台２は、ポータブル型の放射線撮像装置においては、軽量化の要望に対し、軽量且つ強度の高い炭素繊維強化プラスチック（ＣＦＲＰ）が母材として用いられ得る。好ましくは、ＣＦＲＰでアルミニウム等の金属メッシュを挟み込んだ板状部材が用いられ得る。支持基台２は、フレームグランドとして機能することが望ましく、当該構成であれば金属メッシュが接地され得る。また、支持基台２としてＣＦＲＰ単体で構成されている場合、センサパネル１と支持基台２との間に接地された導電性部材（不図示）が配置され得る。
【００１４】
スイッチ素子４は、駆動部１９によって導通状態と非導通状態とが切替えられ、導通状態において電気信号を信号線６に転送する。駆動部１９は、駆動回路８と駆動制御用の回路基板７とを含む。駆動回路８は、複数の駆動線５に電気的に接続されており、シフトレジスタ等の集積回路が用いられ得る。当該集積回路は、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）等の実装技術により、フレキシブル配線板に搭載され得る。駆動制御用の回路基板７は、駆動回路８を制御するためのプリント回路基板であり、駆動回路８へ制御信号の入出力や、駆動信号の導通電圧及び非導通電圧の供給を行う。ここで、導通電圧は、スイッチ素子４を導通状態とする電圧であり、非導通電圧は、スイッチ素子を非導通状態とする電圧である。複数の駆動回路８は、センサパネル１の行方向と交差する辺に電気的に接続され得る。
【００１５】
スイッチ素子４によって信号線６に転送された電気信号は、信号線６を介して読出部２０に伝送される。読出部２０は、読出回路１０と読出制御用の回路基板９とを含む。読出回路１０は、画素アレイの行方向の複数の画素毎に、複数の信号線６を介して、スイッチ素子４によって転送された電気信号を読み出す。読出回路１０は、複数の信号線６からの電気信号を増幅する増幅回路や、並列信号を直列信号に変換するマルチプレクサ、アナログ信号をデジタル信号に変換するＡ／Ｄ変換器等を含む集積回路が用いられ得る。当該集積回路は、駆動回路８と同様に、ＴＣＰ、ＣＯＦ等の実装技術により、フレキシブル配線板に搭載され得る。読出制御用の回路基板９は、読出回路１０を制御するためのプリント回路基板であり、例えば、読出回路１０への制御信号の入出力を行い、Ａ／Ｄ変換器等へ電源電圧や基準電圧の供給も行う。複数の読出回路１０は、センサパネル１の列方向と交差する辺に電気的に接続され得る。
【００１６】
処理回路基板１３は、読出制御用の回路基板９と駆動制御用の回路基板７とに制御信号を供給するための制御回路と、読出回路１０から出力された信号を処理する処理回路と、を含む集積回路が搭載されたプリント回路基板である。
【００１７】
電源回路基板１２は、放射線撮像装置１００の撮像動作に必要な各電圧を生成するスイッチング電源を含む集積回路２１が搭載されたプリント回路基板である。スイッチング電源として、本実施形態では、バッテリ１１から供給される直流電圧を所望の電圧に変換するＤＣ／ＤＣ変換器が好適に用いられ得る。電源回路基板１２は、読出制御用の回路基板９を介して読出回路１０に、電源電圧や基準電圧等の電圧を供給する。また、電源回路基板１２は、読出制御用の回路基板９及び駆動制御用の回路基板７を介して、スイッチ素子４の導通電圧及び非導通電圧等を供給する。また、電源回路基板１２は、読出制御用の回路基板９及び読出回路１０を介して、変換素子３に供給するバイアス電圧を供給する。ここで、電源回路基板１２の一辺は、長さＬの間隔を空けて読出制御用の回路基板９の一辺と向き合って配置されている。
【００１８】
フレキシブル配線板１４は、電源回路基板１２からの電圧を読出制御用の回路基板９に伝送する。フレキシブル配線板１４は、図５（ａ）又は図５（ｂ）に示すように、スイッチング電源で生成された電圧を供給する複数の電源線１４−１と、グランドのリターン電流が流れる複数のグランド線１４−２と、を含む。なお、フレキシブル配線板１４は、読出制御用の回路基板９の一辺と向き合って配置された電源回路基板１２の一辺と、その読出制御用の回路基板９の一辺と、を超えて設けられている。読出制御用の回路基板９と処理回路基板１３との間が、フレキシブル配線板１４とは別のフレキシブル配線板１５で電気的に接続されており、読出回路１０から出力された信号はフレキシブル配線板１５を介して処理回路基板１３に伝送される。また、読出制御用の回路基板９と駆動制御用の回路基板７との間が、フレキシブル配線板１６で電気的に接続されており、電源回路基板１２からの導通電圧及び非導通電圧が駆動回路８に供給される。バッテリ１１からの直流電圧は、フレキシブル配線板１７を介して電源回路基板１２に供給される。また、フレキシブル配線板１８は、電源回路基板１２からの電圧を処理回路基板１３に伝送する。各フレキシブル配線板１４〜１８は、フレキシブルフラットケーブルが好適に用いられ得る。
【００１９】
放射線撮像装置１００では、読出制御用の回路基板９、駆動制御用の回路基板７、バッテリ１１、電源回路基板１２、処理回路基板１３、及び、各フレキシブル配線板１４〜１８が、支持基台２を挟んでセンサパネル１と反対側に配置されている。
【００２０】
次に、図２（ａ）及び図２（ｂ）を用いて、本願発明者が見出した課題を説明する。図２（ａ）は、比較例の放射線撮像装置の概略斜視図であり、図２（ｂ）は、比較例の放射線撮像装置を回路基板側から見た平面模式図である。なお、同じ構成には同じ番号を付与し、詳細な説明は割愛する。比較例では、フレキシブル配線板１４の電源線１４−１とグランド線１４−２は、複数の信号線６と略平行になるように、実装されている。ここで、電源線１４−１を往路とすると、グランド線１４−２は復路となるため、フレキシブル配線板１４の電源線１４−１とグランド線１４−２とは配線ループを形成することになる。これにより、フレキシブル配線板１４から磁界が発生し得る。なお、フレキシブル配線板１４の電源線１４−１及びグランド線１４−２は、少なくとも１本以上のフレキ導体が割り当てられる。一般的には、供給される電圧に応じる電流量に応じた数のフレキ導体が割り当てられて使用される。また、電源回路基板に搭載されたスイッチング電源としてＤＣ／ＤＣ変換器を用いた場合、出力電圧に平滑しきれないＡＣ成分が残り、スイッチング周波数に同期した微弱なリップルノイズの成分が重畳し得る。このリップルノイズ成分が電源線１４−１とグランド線１４−２の配線ループに印加されるため、フレキシブル配線板１４からは交流磁界が発生し得る。
【００２１】
その幅がＷのフレキシブル配線板１４から発生する磁界は、フレキシブル配線１４と対向する複数の信号線６との電磁気的な結合が大きいため、幅Ｗで対向する複数の信号線６に対して磁界が干渉する。具体的には、電源線１４−１とグランド線１４−２が複数の信号線６と略平行になっていると、フレキシブル配線板１４が発生する磁界が対向する複数の信号線６に鎖交し、誘導起電力によって複数の信号線６にノイズ電圧が誘起されてしまう。そのため、得られた画像には、フレキシブル配線板１４と対向する領域に対応する箇所にノイズが発生してしまう。
【００２２】
比較例では、フレキシブル配線板１４と支持基台２の間に、フレキシブル配線板１４の幅Ｗよりも広い、透磁率の高い磁性シート２１を配置している。これにより、フレキシブル配線板１４で発生する磁界がセンサパネル１に到達する前に磁性シート２１に引き寄せられ、磁性シート２１内を迂回していく。よって、複数の信号線６に到達する磁界の量が低減し、得られる画像に発生するノイズも低減される。しかしながら、透磁率の高い磁性シート２１が外来性の電磁波を引き寄せてしまい、得られる画像へ外来性の電磁波起因のノイズが混入し得る。また、ポータブル型の放射線撮像装置では、可搬性向上のために軽量化及び薄型化が求められており、磁性シート２１を用いない方が望ましい。
【００２３】
ここで、信号線６とフレキシブル配線板１４の導体の電磁気的な結合は、平行に配置された配線同士が並走する場合に結合が大きく、逆に直交するように配置されると電磁気的な結合がほぼ無くなり、画像にノイズの発生がないことが実験的に確認された。そこで、本発明の放射線撮像装置は、フレキシブル配線板１４で発生する磁界に基づくノイズを抑制するように、フレキシブル配線板１４の少なくとも一部を、複数の信号線６に対して所望の角度以上を有するように非平行に対向して配置する。
【００２４】
図１（ａ）及び図１（ｂ）に示す本実施形態では、幅Ｗのフレキシブル配線板１４が、ピッチ間隔ａで配置された複数の信号線６の少なくとも一部と幅（２Ｗ＋ａ）以上の幅の領域で対向するように、複数の信号線６に対して、式（１）で示される角度θ以上の角度で配置されている。ここで、Ｌは互いに向き合って配置されている電源回路基板１２の一辺と読出制御用の回路基板９の一辺の間隔の長さである。
【００２５】
【数２】
2019007748.tif 000004
【００２６】
このように配置することにより、フレキシブル配線板１４と対面する複数の信号線６の幅は、フレキシブル配線１４の幅Ｗから（２Ｗ＋ａ）以上に増える一方、フレキシブル配線板１４が平行に配置される長さはＬ未満と短くなる。このように、複数の信号線６がノイズ源となるフレキシブル配線板１４と略並列に配置される長さを短くすることで、複数の信号線６に対する磁界の結合量が低減され、得られる画像に発生するノイズが低減され得る。それにより、磁性部材を用いることなくフレキシブル配線板１４で発生する電磁波に起因する放射線画像へ影響を抑制することが可能となる。なお、ここでは、フレキシブル配線板１４の幅Ｗで規定したが、フレキシブル配線板１４内で配線ループが形成している導体間の幅で規定する場合でも同様の効果が得られる。
【００２７】
（第２実施形態）
次に、図３（ａ）及び図３（ｂ）を用いて、第２実施形態に係る放射線撮像装置１００を説明する。図３（ａ）は、第２実施形態の放射線撮像装置１００の概略斜視図であり、図３（ｂ）は、該放射線撮像装置１００を回路基板側から見た平面模式図である。なお、同じ構成には同じ番号を付与し、詳細な説明は割愛する。
【００２８】
本実施形態においては、電源回路基板１２から読出制御用の回路基板９に電源を供給する幅Ｗのフレキシブル配線板１４は、ピッチ間隔ａで配置された複数の信号線６の少なくとも一部と幅（２Ｗ＋ａ）以上の幅の領域で対向するように、少なくとも一度折り曲げて配置されている。図３（ａ）及び図３（ｂ）においては、フレキシブル配線板１４を角度４５度の折り目で９０度に２回折り曲げることで、フレキシブル配線板１４は、複数の信号線６の少なくとも一部と幅（２Ｗ＋ａ）以上の幅の領域で対向するように配置されている。このように配置することにより、フレキシブル配線板１４と対面する複数の信号線６の幅は、フレキシブル配線１４の幅Ｗから（２Ｗ＋ａ）以上に増える一方、フレキシブル配線板１４が平行に配置される長さはＬ未満と短くなる。このように、複数の信号線６がノイズ源となるフレキシブル配線板１４と略並列に配置される長さを短くすることで、複数の信号線６に対する磁界の結合量が低減され、得られる画像に発生するノイズが低減され得る。それにより、磁性部材を用いることなくフレキシブル配線板１４で発生する電磁波に起因する放射線画像へ影響を抑制することが可能となる。
【００２９】
ここで、第２実施形態においては、フレキシブル配線板１４を折り曲げる角度、折り曲げる回数は限定されるものではない。幅Ｗのフレキが幅（２Ｗ＋ａ）以上の領域で複数の信号線６の少なくとも一部と対向するように配置し、フレキと対面し、複数の信号線６がノイズ源となるフレキシブル配線板１４と略並列に配置される長さをＬ未満と短くすることが重要である。例えば、図４（ａ）及び図４（ｂ）を用いて、第２の実施形態の変形例に係る放射線撮像装置１００を説明する。図４（ａ）は、第２実施形態の変形例の放射線撮像装置１００の概略斜視図であり、図４（ｂ）は、該放射線撮像装置１００を回路基板側から見た平面模式図である。なお、同じ構成には同じ番号を付与し、詳細な説明は割愛する。
【００３０】
図４（ａ）及び図４（ｂ）においては、フレキシブル配線板１４を角度９０度で４回折り曲げて大きく迂回させることで、フレキシブル配線板１４は、複数の信号線６の少なくとも一部と幅（２Ｗ＋ａ）以上の幅の領域で対向するように配置されている。このように配置することによっても、フレキシブル配線板１４と対面する複数の信号線６の幅は、フレキシブル配線１４の幅Ｗから（２Ｗ＋ａ）以上に増える一方、フレキシブル配線板１４が平行に配置される長さはＬ未満と短くなる。このように、複数の信号線６がノイズ源となるフレキシブル配線板１４と略並列に配置される長さを短くすることで、複数の信号線６に対する磁界の結合量が低減され、得られる画像に発生するノイズが低減され得る。それにより、磁性部材を用いることなくフレキシブル配線板１４で発生する電磁波に起因する放射線画像へ影響を抑制することが可能となる。
【００３１】
ここで、図５（ａ）及び図５（ｂ）を用いて、各実施形態に用いられ得るフレキシブル配線板１４について説明する。図５（ａ）及び図５（ｂ）は、各実施形態に用いられ得るフレキシブル配線板１４として用いられるフレキシブルフラットケーブルの模式的な断面斜視図である。
【００３２】
フレキシブル配線板１４は、図５（ａ）又は図５（ｂ）に示すように、スイッチング電源で生成された電圧を供給する複数の電源線１４−１と、グランドのリターン電流が流れる複数のグランド線１４−２と、を含む。図５（ａ）に示すフレキシブルフラットケーブルは、複数の電源線１４−１のうちの１つの電源線と、複数のグランド配線１４−２のうちの１つのグランド配線と、が交互に並ぶように、複数の電源線１４−１と複数のグランド線１４−２が配置されている。また、図５（ｂ）に示すフレキシブルフラットケーブルは、複数の電源線１４−１のうちの２以上と、複数のグランド配線１４−２のうちの２以上と、が交互に並ぶように、複数の電源線１４−１と複数のグランド線１４−２が配置されている。図５（ａ）及び図５（ｂ）のいずれの構成でも使用できるが、磁界によるノイズ低減の観点では図５（ａ）に示す構成の方がより好ましい。これは、電源線１４−１で発生する磁界とグランド線１４−２で発生する磁界とが互いに打ち消し合い、フレキシブルフラットケーブル全体から漏洩する磁界が低減されるためである。一方、図５（ｂ）に示す構成は、ピン配置等構成の簡便性の観点で図５（ａ）の構成より有利である。
【００３３】
（応用実施形態）
次に、図６を用いて、本発明の放射線撮像装置を用いた放射線撮像システムを説明する。
【００３４】
放射線源であるＸ線チューブ６０５０から出射されたＸ線６０６０は、患者あるいは被験者６０６１の胸部６０６２を透過し、本発明の放射線撮像装置６０４０に含まれる各変換素子３に入射する。この入射したＸ線には患者６０６１の体内部の情報が含まれている。Ｘ線の入射に対応して変換素子３で放射線を電気信号に変換して、電気的情報を得る。この情報はデジタルデータに変換され信号処理手段となるイメージプロセッサ６０７０により画像処理され制御室の表示手段となるディスプレイ６０８０で観察できる。
【００３５】
また、この情報は電話回線６０９０等の伝送処理手段により遠隔地へ転送でき、別の場所のドクタールームなど表示手段となるディスプレイ６０８１に表示もしくは光ディスク等の記録手段に保存することができ、遠隔地の医師が診断することも可能である。また記録手段となるフィルムプロセッサ６１００により記録媒体となるフィルム６１１０に記録することもできる。
【符号の説明】
【００３６】
１００  放射線撮像装置
１  センサパネル
２  支持基台
９  読出制御用の回路基板
１０  読出回路
１２  電源回路基板
１４  フレキシブル配線板
【図１】
2019007748.tif 000006
【図２】
2019007748.tif 000007
【図３】
2019007748.tif 000008
【図４】
2019007748.tif 000009
【図５】
2019007748.tif 000010
【図６】
2019007748.tif 000011